(57)【要約】【課題】分離したり組み付けたりすることがないばかりでなく、机上などにおいてもガタツクことがなく、入力操作及び使い勝手の良好なこと。【解決手段】携帯電話機１は上筐体２と下筐体３とで構成される。上筐体２及び下筐体３は、概略的には長四角の形状をなし、互いに厚み方向に重ね合わせられると共に、上筐体２と下筐体３とが後述する回転軸を中心として回動可能に取り付けられる。その際、上筐体２と下筐体３とが９０度の角度で定位置まで回動されたとき、下筐体３の露出する面上にキー５が複数配設されている。複数のキー５は、アルファベットを構成する全てのキーは勿論、それ以外の他の記号等を表すキーが個々に設けられている。【選択図】  図１
2004297588.tif 000002
【特許請求の範囲】
【請求項１】
一方の筐体と、他方の筐体とを備え、
前記一方の筐体の下に他方の筐体を重ね合わせると共に、前記一方の筐体と他方の筐体とを厚み方向に向かう軸を中心として相対的に回動可能に取り付け、
一方の筐体と他方の筐体とが相対的に定位置まで回動したとき、前記他方の筐体の露出した面にキーが複数配設されていることを特徴とする電子端末装置。
【請求項２】
請求項１記載の電子端末装置において、
前記一方の筐体と他方の筐体とが定位置に回動したとき、前記一方の筐体において他方の筐体との交差する位置に幅方向内方に凹ませる切欠を設けていることを特徴とする電子端末装置。
【請求項３】
請求項１又は２記載の電子端末装置において、
前記一方の筐体と他方の筐体とが定位置に回動したとき、一方の筐体に対して他方の筐体をロックするロック機構を有することを特徴とする電子端末装置。
【請求項４】
請求項１から３のいずれかに記載の電子端末装置において、
携帯電話機能あるいは簡易型携帯電話機能を有することを特徴とする電子端末装置。
【発明の詳細な説明】
【０００１】
【発明の属する技術分野】
この発明は、電子端末装置に係り、特に携帯電話機や簡易型携帯電話機、携帯端末（ＰＤＡ）等として使用するのに好適な電子端末装置に関する。
【０００２】
【従来の技術】
近年、携帯電話機のような電子端末装置は、通常の電話機能を有するばかりでなく、電子メールの送受信もできるものが広く普及している。送信する電子メールを作成する場合には、文字を入力する必要があるが、携帯電話機に設けられているキーには配設される数に限界があることから、各キーが複数の機能をもつように割り当てられており、目的の１文字を入力するのにキー操作を複数回行わなければならないことがある。
そのため、従来技術では、文字やアルファベットを一つのキーで兼用することがないようにキーを多数配設して、いわゆるフルキーボードのようなものが実現されている（例えば、特許文献１及び非特許文献１参照。）。
【０００３】
【特許文献１】
特開２００２−３６８８４５号公報（第３−４頁、図１及び図２）
【０００４】
【非特許文献２】
ケータイｗａｔｃｈ「ケータイ最新ニュース」［２００２年１１月５日］
＜ＵＲＬ：ｈｔｔｐ：／／ｋ−ｔａｉ．ｉｍｐｒｅｓｓ．ｃｏ．ｊｐ／ｃｄａ／ａｒｔｉｃｌｅ／ｎｅｗｓ＿ｔｏｐｐａｇｅ／１１５６７．ｈｔｍｌ
【０００５】
【発明が解決しようとする課題】
しかしながら、上記特許文献１においては、携帯電話端末とキー入力装置とが別体に構成されているので、キー入力を行う場合には、携帯電話端末とキー入力装置とを互いに組み付けて使用するので、使用に際してはその都度組み付けなければならず、しかも、持ち歩く際には両者を分離してそれぞれを携帯しなければならない不都合もあり、使い勝手や携帯性に劣るという問題があった。
また、上記非特許文献２においては、本体の幅方向を向く軸線を中心として蓋体が折り畳み自在に構成され、かつ蓋体を開くと、該蓋体と本体に設けられたキーを操作することで入力できるように構成されているものの、蓋体が本体に比較して薄肉形状であるので、机上などにおいて入力しようとすると、本体と蓋体間でガタツキが発生して不安定な状態となり、入力しにくい問題があった。さらに、非特許文献２においては、キーボードを使用できる状態にすると、表示画面が縦から横に切り替わってしまうために、使用者の操作性が大幅に悪化するという問題があった。
【０００６】
この発明は、このような事情を考慮してなされたもので、その目的は、分離したり組み付けたりすることがないばかりでなく、机上などにおいてもガタツクことがなく、入力操作及び使い勝手の良好な電子端末装置を提供することにある。
【０００７】
【課題を解決するための手段】
上記目的を達成するために、この発明は以下の手段を提案している。
請求項１に係る発明は、一方の筐体と、他方の筐体とを備え、前記一方の筐体の下に他方の筐体を重ね合わせると共に、前記一方の筐体と他方の筐体とを厚み方向に向かう軸を中心として相対的に回動可能に取り付け、一方の筐体と他方の筐体とが相対的に定位置まで回動したとき、前記他方の筐体の露出した面にキーが複数配設されていることを特徴とする。
【０００８】
この発明に係る電子端末装置によれば、一方の筐体と他方の筐体とを定位置まで回動したとき、他方の筐体の露出した面にキーが複数配設されていることから、回動させることで入力操作を行うことができる。従って、他方の筐体の露出した部分にキーを多数配設することができるので、キーの各々を種々に割り当てることが不要になり、限られた面積であっても、いわゆるフルキーボードに準じた多数のキー構成を実現することができ、入力操作を良好に行うことができる。
【０００９】
請求項２に係る発明は、請求項１記載の電子端末装置において、前記一方の筐体と他方の筐体とが定位置に回動したとき、前記一方の筐体において他方の筐体との交差する位置に幅方向内方に凹ませる切欠を設けていることを特徴とする。
この発明に係る電子端末装置によれば、切欠によって他方の筐体の露出部分の面積を大きくさせることができるので、他方の筐体にそれだけキーを多数配設することができる。
【００１０】
請求項３に係る発明は、請求項１又は２記載の電子端末装置において、前記一方の筐体と他方の筐体とが定位置に回動したとき、一方の筐体に対して他方の筐体をロックするロック機構を有することを特徴とする。
この発明に係る電子端末装置によれば、一方の筐体に他方の筐体をロックさせるので、両者が不用意に回動することがなくなり、キー操作をいっそう安定した状態で良好に行うことができる。
【００１１】
請求項４に係る発明は、請求項１から３のいずれか記載の電子端末装置において、携帯電話機能あるいは簡易型携帯電話機能を有することを特徴とする。
この発明に係る電子端末装置によれば、携帯電話あるいは簡易型携帯電話として利用することができるので、入力操作及び使い勝手に優れた携帯電話あるいは簡易型携帯電話を実現することができる。
【００１２】
【発明の実施の形態】
以下、図面を参照し、この発明の実施の形態について説明する。図１から図８はこの発明の一実施の形態に係る電子端末装置を適用した携帯電話機を示す図であって、図１は携帯電話機を示す正面図、図２は図１の底面図、図３は図１の左側面図、図４は図１の背面図、図５は上筐体と下筐体間の回転軸を示す分解斜視図、図６は上筐体と下筐体とを回動可能に連結した組み付け状態を上筐体側から見た図、図７は図６のＡ−Ａ線に相当する断面斜視図、図８は同じく図６のＡ−Ａ線の断面図である。
図１〜図４において、符号１はこの実施形態の電子端末装置を適用した携帯電話機であって、一方の筐体としての上筐体２と、他方の筐体としての下筐体３とによって構成されている。上筐体２及び下筐体３は、図１及び図４に示すように、概略的には長四角の形状をなしている。そして、上筐体２と下筐体３とが図２及び図３に示すように互いに厚み方向に重ね合わせられると共に、上筐体２と下筐体３とが後述する回転軸４を中心として回動可能に取り付けられている。
その際、上筐体２と下筐体３とが互いに図１及び図４のように９０度の角度で定位置まで回動されたとき、下筐体３の露出する面上にキー５が複数配設されている。複数のキー５は、アルファベットを構成する全てのキーは勿論、それ以外の他の記号等を表すキーが独立的に個々に設けられている。
【００１３】
さらに詳細に述べると、上筐体２及び下筐体３は、図１及び図４に示すように互いに同程度の大きさからなる略長四角の形状をなしている。上筐体２には、図１に示すように、その上面に液晶からなる表示部２１が設けられる他、図示していないが、表示部の下方に電源キー、算用数字からなる数字キー、ジョグダイヤル等からなる第１の入力部２２が設けられ、表示部２１によって入力内容を確認したりインターネット通信の際の表示内容を視認したりする一方、第１の入力部２２の切替え操作等によってブラウズモードと入力モードとの切替えや通信相手の番号入力等も行えるようになっている。
【００１４】
下筐体３は、その上面の上部側と下部側とに図１に示すように、第２の入力部としてのキー５が複数設けられ、上筐体２と厚み方向に重ねられて図５に示す回転軸４を中心として回動すると、そのキー５を有する上部側と下部側とが上筐体２からずれて露出し、これによってキー５による入力操作が可能となっている。キー５としては、例えば２６文字分のアルファベット文字をなすキーの他、「？」、「＃」、「＄」、「％」、「＠」、「エンター」キー等も用意され、インターネット通信等に必要なメッセージを入力できるキーがそれぞれ個々に配設されている。また、筐体を閉じた状態と開いた状態とで、入力モードがブラウズモードからメール等の入力モードに変化する。したがって、電話をかける場合やスケジュール等を確認する場合には、上筐体２に配置された円形ボタンを回転させることにより、所望の電話番号や日付等を選択し、さらに円形ボタンを押し込むことにより選択を確定できる。一方、メール入力や電話帳入力を行う場合には、上筐体２と下筐体３とを十字状に９０度回転させ、入力モードを切り換えて、下筐体３から露出したフルキーボードを用いることにより文字等の入力を行うことができる。
【００１５】
一方、上筐体２と下筐体３との回動を支持する回転軸４は、図５〜図８のように構成されている。
つまり、下筐体３の中央部に図５及び図６に示すように中心部４１が突設され、その中心部４１の周囲に収納空間４２を介して支承壁４３が突設されている。一方、上筐体２の中央部に凹部４４が設けられると共に、凹部４４に挿通孔４５が設けられている。そして、上筐体２と下筐体３とを厚み方向に重ねたとき、凹部４４内にワッシャー４６を挿入して、かつ図８に示すねじ４７をワッシャー４６から中心部４１に締結させることにより、上筐体２と下筐体３とがねじ４７の軸線を中心として回動するようになっている。なお、図５〜図８では、上筐体２が、図１に示す表示部２１や第１の入力部２２等を省略した状態で図示されていると共に、下筐体３が、図１に示すキー５が設けられる部分を省略した状態で図示されている。また、図７は、上筐体２と下筐体３とがねじ４７によって止める前の断面図である。
【００１６】
また、回転軸４には、上筐体２と下筐体３とが定位置まで回動されたとき、その定位置にてロックさせるロック機構６が設けられている。
このロック機構６は、図５に示すように、略Ｓ字形状に形成された第１ラチェット部７と、それと対称形状に形成された第２ラチェット部８とを有し、常態ではそれらが図６〜図８に示すように下筐体３の収納空間４２に重ねて収納される。
【００１７】
そのとき、例えば図６に示すように第１ラチェット部７の第１係止爪７ａと第２係止爪７ｂとが収納空間４２内の第１溝４２ａと第３溝４２ｃとに係合すると共に、第２ラチェット８の第１係止爪８ａと第２係止爪８ｂも収納空間４２内の第１溝４２ａと第３溝４２ｃとに係合する。
そして、例えば下筐体３と上筐体２とが相対的に９０度で回動されたとき、第１ラチェット部７の第１係止爪７ａと第２ラチェット部８の第１係止爪８ａとが第１溝４２ａから外れ、該第１溝４２ａ及び第３溝４２ｃと隣接する第２溝４２ｂに係合する一方、第２係止爪７ｂと８ｂとが第３溝４２ｃからはずれ、該第３溝４２ｃ及び第１溝４２ａ間の第４溝４２ｄに係合し、その角度位置にて回転が停止されることでロックするようになっている。
【００１８】
そのため、収納空間４２に設けられた第１〜第４溝４２ａ〜４２ｄは、図５及び図６に示すように、互いに９０度の角度で設けられており、上筐体２と下筐体３とが回動されたとき、第１ラチェット部７の両係止爪７ａ、７ｂ第２ラチェット部８の両係止爪８ａ、８ｂとを互いに回動方向に沿って９０度の角度毎に順次係合させるようになっている。このような第１ラチェット部７と第２ラチェット部８とは、互いに対称形状に形成されることで、上筐体２と下筐体３との回動方向を時計方向及び反時計方向のいずれかの方向へ任意に回動できるようになっている。
【００１９】
従って、上筐体２と下筐体３とが時計方向（若しくは反時計方向）へ９０度の角度にされると、その位置にてロックでき、その後、反時計方向に回動したり、更に時計方向に回動したりすることでロックできるようになっている。その際、図示していないが、いずれの方向に回動しても上筐体２と下筐体３間は携帯電話機能を良好に行えるよう、電気的に接続されるようになっている。
【００２０】
また、上筐体２の中央部には、切欠９がそれぞれ設けられている。この切欠９は、図１に示すように、上筐体２において下筐体３と交差する両側に設けられてあって、幅方向内方に凹むように切り欠かれている。下筐体２の中央部も切欠９に対応させて同様に切り欠かれている（図４参照）。
なお、図示していないが、下筐体３の内部には携帯電話機能を果たすのに必要な送受信部、及びその送受信部の制御を行う制御部等種々の構成部品が内蔵されている。図１において、符号１６は受話用のスピーカ部、１７は送話用のマイクロフォン部である。
【００２１】
この実施形態の携帯電話機は、上記のように構成され、常態では上筐体２と下筐体３とが互いに重ね合わせられることで全体と略長四角の形状となっている。
このとき、インターネット等のメッセージ送信のため、上筐体２と下筐体３とを定位置となる９０度の角度まで回動させると、図１及び図４に示すように、下筐体３の上部側と下部側とが上筐体２からずれて露出し、つまり一回の回動操作によって複数の各キーが全て露出した状態となり、これによって、各キーの入力が可能となる。
【００２２】
即ち、この携帯電話機１は、上筐体２と下筐体３とを定位置まで回動したとき、下筐体３の露出した上部側と下部側との上面にキーが複数配設されていることから、回動されることで入力操作を行うことができる。従って、下筐体３の露出した部分に多数のキーを配設することができるので、キーの各々を種々に割り当てることが不要になり、携帯電話機として限られた面積であっても、いわゆるフルキーボードに準じた多数のキー構成を実現することができ、入力操作を良好に行うことができる。
【００２３】
その上、特許文献１のように携帯電話端末とキー入力装置とをいちいち組み付けることがなくなるばかりでなく、持ち歩くのに分離することも不要になり、また入力操作の場合には、他方の露出した面が左右対称となって均衡状態となるので、被特許文献２のようにガタツクおそれがなくなって安定させることができ、極めて良好な入力操作を行うことができる。
【００２４】
また、上筐体２において下筐体３との交差する位置には幅方向内方に凹ませる切欠９が設けられていると、使用するために回動したとき、切欠９の存在によって下筐体３の露出部分の面積を大きくさせることができ、下筐体３に配設するキーの数をそれだけ容易に多くすることができる。しかも、切り欠９があると、指が引っ掛かって掴みやすくなり、携帯電話機１としての把持性もよい。
【００２５】
更に、上筐体２に対して下筐体３をロックするロック機構６を有しているので、上筐体２と下筐体３とが定位置に回動したとき、両者２、３が不用意に回動することもなくなり、キー操作をいっそう安定した状態で行うことができる。
【００２６】
また、回転軸４に設けられたロック機構６が、互いに対称形状に形成された第１ラチェット部７と第２ラチェット部８とを有しているので、上筐体２と下筐体３とを回動させたとき、それらの回動方向を時計方向及び反時計方向のいずれかの方向へ任意に回動させることができ、従って、回動方向を規制することがないので、使い勝手がいっそう良好となる。
【００２７】
なお、図示実施の形態では、電子端末装置として携帯電話機に適用された例を示したが、それ以外のもの、例えば、簡易型携帯電話機や携帯端末（ＰＤＡ）、電子辞書等にも適用して同様の作用効果を得ることができ、図示例に限定されるものではない。
【００２８】
本発明によれば、一方の筐体と他方の筐体とを定位置まで回動したとき、他方の筐体の露出した面にキーが複数配設されて構成し、従って、他方の筐体の露出した部分にキーを多数配設することができるので、キーの各々を種々割り当てることが不要になり、限られた面積であっても、いわゆるフルキーボードに準じた多数のキー構成を実現することができる結果、携帯性が良好となる。また、上筐体および下筐体を回動させることにより、下筐体に設けたキーボードを上筐体を中心に左右に露出させる構造としたことから、両手を使って情報の入力操作を行うことができ、操作性が良好となる。
【００２９】
また、本発明によれば、切欠によって他方の筐体の露出部分の面積を大きくさせることができるので、他方の筐体にキーを多数配設することが確実にできるとともに、指が引き掛かって把持性もよい。
【００３０】
また、本発明によれば、一方の筐体に他方の筐体をロックさせるので、両者が不用意に回動することがなくなり、キー操作をいっそう良好に行うことができる。
【００３１】
また、本発明によれば、入力操作及び使い勝手に優れた携帯電話機を実現できる。さらに、本発明によれば、筐体の回転前および回転後において、表示画面の表示形式が変化しないことから、使用者に操作に関する違和感を与えることがない。
【００３２】
【発明の効果】
以上、説明したように、本発明によれば、分離したり組み付けたりすることがないばかりでなく、机上などにおいてもガタツクことがなく、入力操作及び使い勝手の向上させることができるという効果がある。また、下筐体内にキーボードを配置し、上筐体および下筐体を回動させることにより、キーボードを露出させる構造としたことから、装置内においてキーボードが占有するスペースを考慮する必要がなく、表示部を大きく配置することができるとともに、デザイン上の自由度を高くすることができるという効果がある。さらに、上筐体および下筐体を回動させることにより、下筐体に設けたキーボードを上筐体を中心に左右に露出させる構造としたことから、両手を使って情報の入力操作を行うことができ、操作性が向上するという効果がある。
【図面の簡単な説明】
【図１】この発明の一実施の形態に係る電子端末装置を適用した携帯電話機を示す正面図である。
【図２】図１の底面図である。
【図３】図１の左側面図である。
【図４】図１の背面図である。
【図５】上筐体と下筐体間の回転軸を示す分解斜視図である。
【図６】上筐体と下筐体とを回動可能に連結した組み付け状態を上筐体側から見た図である。
【図７】図６のＡ−Ａ線に相当してあって、上筐体と下筐体をねじで止める前の断面斜視図である。
【図８】同じく図６のＡ−Ａ線の断面図である。
【符号の説明】
１    携帯電話機
２    上筐体（一方の筐体）
３    下筐体（他方の筐体）
４    回転軸
５    キー
６    ロック機構
９    切欠
【図１】
2004297588.tif 000003
【図２】
2004297588.tif 000004
【図３】
2004297588.tif 000005
【図４】
2004297588.tif 000006
【図５】
2004297588.tif 000007
【図６】
2004297588.tif 000008
【図７】
2004297588.tif 000009
【図８】
2004297588.tif 000010